(57)【要約】【課題】本発明は、構造が簡単で、且つ、中央処理装置が受ける圧力が小さい電気ソケット組立体を提供することを目的とする。【解決手段】本発明の電気ソケット組立体はソケットと固定基板を含む。前記ソケットの底部に複数の支柱が設けられる。前記固定基板はほぼ正方形をしている本体を含む。本体の一端に揺動部材が設けられる。本体のもう一端に枠形をしている押圧部材を樞接し、押圧部材が樞接する一端と相対するもう一端にラッチが設けられ、前記枠形の押圧部材の外側縁の両側の適当な所にそれぞれ下に向かって支持部材を延出する。前記支持部材と対向する、枠形の押圧部材の内側縁がそれぞれ下に向かって押片部材を延出し、中央処理装置をソケットの表面に密着させる。前記支持部材は前記押片部材より少し長い。【選択図】　　　図１
2004063448.tif 000002
【特許請求の範囲】
【請求項１】
中央処理装置を固定することに使われる電気ソケット組立体であって、
ソケットと、
本体と、前記本体の一端に設けられるスパナ部材、及び前記本体のもう一端に設けられ、枠形をし、且つ二つの外側縁がソケットの縁に押される支持部材をそれぞれ下に向かって延出して、支持部材と対向する二つの内側縁が押片部材をそれぞれ下に向かって延出する押圧部材を備える固定基板と、
を含むことを特徴とする電気ソケット組立体。
【請求項２】
前記支持部材が下に向かって延出する長さは前記押片部材が下に向かって延出する長さより長いことを特徴とする請求項１記載の電気ソケット組立体。
【請求項３】
前記ソケットに複数の支柱が設けられることを特徴とする請求項１記載の電気ソケット組立体。
【請求項４】
前記押片部材が少なくとも一つのピンによって前記本体に樞接されることを特徴とする請求項１記載の電気ソケット組立体。
【請求項５】
前記押片部材は前記中央処理装置の表面に固着することができ、前記中央処理装置を前もって前記ソケットに固定させることを特徴とする請求項１記載の電気ソケット組立体。
【請求項６】
中央処理装置の圧力制御機構であって、
中央処理装置と、
マザーボードと、
中央処理装置の表面に密着され、ヒートシンクと固定モジュール及び少なくとも一つのクリップを含むヒートシンク組合せと、
中央処理装置に連接し且つマザーボードに固定できるソケットと、本体と前記本体の一端に設けられるスパナ部材及び前記本体のもう一端に設けられ、枠形をし、且つ二つの外側縁がソケットの縁に押される支持部材をそれぞれ下に向かって延出し、支持部材と対向する二つの内側縁が押片部材をそれぞれ下に向かって延出して、前記支持部材が下に向かって延出する長さは押片部材が下に向かって延出する長さより少し長い押圧部材を備える固定基板と、を含む電気ソケット組合せと、
を含むことを特徴とする中央処理装置圧力制御機構。
【請求項７】
前記ヒートシンクの底端に凸ブロックが設けられ、前記凸ブロックが中央処理装置の表面に密着することができることを特徴とする請求項６記載の中央処理装置圧力制御機構。
【請求項８】
前記マザーボードに複数の貫通穴が設けられ、前記電気ソケット組合せ及び前記ヒートシンク組合せの固定モジュールをマザーボードに固定させることを特徴とする請求項６記載の中央処理装置圧力制御機構。
【請求項９】
前記ソケットに複数の支柱が設けられ、これらの支柱は前記マザーボードに半田付けすることができることを特徴とする請求項８記載の中央処理装置圧力制御機構。
【請求項１０】
前記押圧部材がマザーボードに樞接されることを特徴とする請求項６記載の中央処理装置圧力制御機構。
【請求項１１】
前記押片部材が前記中央処理装置の表面に密着することができ、前記中央処理装置をソケットに前もって固定させることを特徴とする請求項６記載の中央処理装置圧力制御機構。
【発明の詳細な説明】
【０００１】
【発明の属する技術分野】
本発明は電気ソケット組合せに関し、特に、中央処理装置が受ける圧力を減少させることができる電気ソケット組合せに関するものである。
【０００２】
【従来の技術】
従来のＬＧＡソケット産品は、固定基板によって中央処理装置を前もってソケットに押しつけ、そして、ヒートシンクはクリップによって中央処理装置の表面に固着され、取り付けが完成する。図６を参照し、このようなソケットの固定基板８０に正方形の枠体８１及び前記枠体の二つの相対の側辺に配置される揺動部材８２とピン８３を備え、ソケット８６の本体が前記枠体８１の中に入れられる。前記ピン８３は二つの押圧部材８４とラッチ８５を備え、前記ラッチ８５を下に向かって押し、押圧部材８４が中央処理装置（ＣＰＵ）の表面をソケット８６に緊密に密着させ、前記揺動部材８２を振って、揺動部材８２を前記ピン８３のラッチ８５に係合させる。そして、ヒートシンクはクリップによって中央処理装置の表面に固着される（図示していない）。しかし、このような機構の中央処理装置が受ける圧力（固定基板のピンとヒートシンクによって下に向かって押されるので、起こることになる）が常に大き過ぎ、ソケット端子或いは中央処理装置の本体が圧力をあまりにも受けるために損壊され、中央処理装置の動作の安定性が大きく下降することになる。
【０００３】
従って、構造が簡単で、且つ、中央処理装置が受ける圧力が小さい電気ソケット組立体をどう提供するのかが、本発明が解決しようとする課題である。
【０００４】
【発明が解決しようとする課題】
本発明は、構造が簡単で、且つ、中央処理装置が受ける圧力が小さい電気ソケット組立体を提供することを目的とする。
【０００５】
【課題を解決するための手段】
本発明の電気ソケット組立体はソケットと固定基板を含む。前記ソケットの底部に複数の支柱が設けられ、マザーボードに半田付けされる。前記固定基板はほぼ正方形をしている本体を含む。本体の一端に揺動部材が設けられる。本体のもう一端に枠形をしている押圧部材を樞接し、押圧部材が樞接する一端と相対するもう一端にラッチが設けられ、前記枠形の押圧部材の外側縁の両側の適当な所にそれぞれ下に向かって支持部材を延出し、且つ、前記支持部材をソケットの縁に押圧させる。前記支持部材と対向して、枠形の押圧部材の内側縁がそれぞれ下に向かって押片部材を延出し、中央処理装置をソケットの表面に密着させる。前記支持部材は前記押片部材より少し長い。こうして、中央処理装置が圧力によって下に押え付けられる時、前記支持部材が押圧部材を支持し、押片部材と中央処理装置を分離させ、それによって、前記押圧部材による中央処理装置への圧力は下降することになる。
【０００６】
【発明の実施の形態】
図１〜図３を参照すると、本発明の電気ソケット組立体はソケット１０及び固定基板３０を含む。前記ソケット１０は複数の端子１２と複数の支柱１４を含み、前記支柱１４がマザーボード７０に半田付けされる。
【０００７】
前記固定基板３０はほぼ正方形をしている本体３２を含み、前記本体３２の一端に揺動部材３４が設けられ、本体のもう一端に二つのピン９０によって枠形をしている押圧部材３６を樞接する。前記押圧部材３６が樞接する一端と対向するもう一端にラッチ３７が設けられ、押圧部材３６を下に押え付け、前記ラッチ３７を揺動部材３４と係合させる。前記枠形の押圧部材３６の外辺縁の両側の適当な所に、それぞれ下に向かってソケット１０と接する支持部材３８を延出し、前記支持部材３８はソケット１０の縁に押圧され、前記支持部材３８と対向する、枠体の押圧部材３６の内辺縁も下に向かって押片部材３９を延出し、前記押片部材３９が前もって中央処理装置５０をソケット１０の表面に密着させ、且つ、前記支持部材３８が下に向かって延出する長さは前記押片部材が下に向かって延出する長さより少し長い。
【０００８】
固定基板３０の本体３２はマザーボード７０に半田付けされ、且つ、前記ソケット１０を固定基板３０の本体３２の中に収容させ、押圧部材３６の支持部材３８はソケット１０の辺縁に押し付けられる。前記中央処理装置５０はソケット１０の中に配置されて、且つ、前記固定基板３０の押片部材３９によって下に向かって押さえ付けられることによって、ソケットと緊密に接合することになる（図３に示す）。
【０００９】
図４と図５を共に参照すると、ヒートシンク２０は固定モジュール４０の中に収納され、前記ヒートシンク２０は凸ブロック２１を含み、クリップ６０によってヒートシンク２０を固着させ、前記ヒートシンク２０の凸ブロック２１を中央処理装置の表面に緊密に密着させる。ヒートシンク２０を下に向かって押すことによって中央処理装置５０も下降し、且つ、前記押圧部材３６の支持部材３８はソケット１０の辺縁に押圧され、圧力はソケット１０の支柱１４を通してマザーボード７０に伝えられ、前記支持部材３８が下に向かって延出する長さは前記押片部材３９が下に向かって延出する長さより少し長く、それによって、押圧部材３６の押片部材３９と中央処理装置５０を分離させ、中央処理装置５０が受ける圧力を減少させ、これにより、中央処理装置５０を保護する。
【００１０】
前記を総じ、本発明は特許出願の要件を備えているので、法により出願したものである。前記の実施の形態は単なる本発明のより良い実施の形態であって、本発明の技術を熟知しているものが本発明に基づきなしうる細部の修正或いは変更などは、いずれも本発明の特許請求の範囲に属するものとする。
【図面の簡単な説明】
【図１】本発明に係る電気ソケット組立体の立体分解図である。
【図２】本発明に係る電気ソケット組立体の組合図である。
【図３】本発明に係る電気ソケット組立体のＩＩＩ−ＩＩＩに沿う断面図である。
【図４】本発明に係る電気ソケット組立体とヒートシンク組立体の断面図である。
【図５】本発明に係る電気ソケット組立体の立体図である。
【図６】従来のＬＧＡソケット産品の図である。
【符号の説明】
１０　ソケット
１２　端子
１４　支柱
２０　ヒートシンク
２１　凸ブロック
３０　固定基板
３２　本体
２４　半田付け部
３４　揺動部材
３６　押圧部材
３７　ラッチ
３８　支持部材
３９　押片部材
４０　固定モジュール
５０　中央処理装置
６０　クリップ
７０　マザーボード
９０　ピン
【図１】
2004063448.tif 000003
【図２】
2004063448.tif 000004
【図３】
2004063448.tif 000005
【図４】
2004063448.tif 000006
【図５】
2004063448.tif 000007
【図６】
2004063448.tif 000008